【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
装置であって、前記装置は、
薬剤容器の一部を受け取るように構成された筐体と、
前記筐体に連結されたハブであって、前記ハブは、流路を画定し、前記流路は、前記流路を通して穿刺部材を受け取るように構成され、前記ハブの遠位端面は、物質が前記穿刺部材を通して運ばれるときに、標的組織の標的面に接触するように構成されている、ハブと、
前記薬剤容器内に少なくとも部分的に配置された作動棒と
を含み、
前記薬剤容器、前記作動棒、および前記穿刺部材は、（１）前記作動棒の遠位端が、前記穿刺部材の遠位端部分が前記標的組織の第１の領域内に配置されたときの前記作動棒に対する力に応答して、前記薬剤容器内で移動し、（２）前記作動棒に対する前記力に応答した前記薬剤容器内での前記作動棒の前記遠位端部分の移動が、前記穿刺部材の前記遠位端部分が前記標的組織の第２の領域内に配置されたときに制限されるように集合的に構成され、前記力は、閾値よりも小さい大きさを有する、装置。
【請求項２】
前記ハブの遠位端面は、前記遠位端面が前記標的面に接触しているときに前記標的面との実質的流体密封を画定するように構成された封止部を含む、請求項１に記載の装置。
【請求項３】
前記ハブの前記遠位端面は、前記ハブの前記遠位端面が前記標的面に接触しているときに前記標的面との実質的流体密封を画定するように構成された封止部を含み、前記封止部は、前記流路の中心線に関して対称である、請求項１に記載の装置。
【請求項４】
前記標的組織は、眼であり、前記標的面は、前記眼の結膜または前記眼の強膜のうちのいずれか１つであり、
前記第１の領域は、脈絡膜上腔、前記強膜の下部、前記眼の脈絡膜、前記眼の網膜下腔、または、前記眼の網膜のうちの少なくとも１つを含み、
前記第２の領域は、前記眼の前記強膜の上部である、請求項１に記載の装置。
【請求項５】
前記ハブの前記遠位端面は、前記ハブの前記遠位端面が前記標的組織と接触すると、（１）前記眼の前記結膜、（２）前記眼の前記強膜、（３）前記眼の前記脈絡膜、または（４）前記眼の前記網膜のうちのいずれか１つを変形させるように構成されている、請求項４に記載の装置。
【請求項６】
前記穿刺部材をさらに含み、前記穿刺部材の中心線は、前記ハブに接する表面線に実質的に垂直である、請求項１に記載の装置。
【請求項７】
前記閾値は、約２Ｎ〜約６Ｎである、請求項１に記載の装置。
【請求項８】
前記標的組織は、眼であり、前記標的面は、前記眼の結膜であり、
前記ハブの前記遠位端面は、前記力に応答して、前記眼の強膜の方へ前記結膜を変位させるように構成されている、請求項１に記載の装置。
【請求項９】
装置であって、前記装置は、
薬剤容器の一部を受け取るように構成された筐体と、
前記筐体に連結されたハブであって、前記ハブは、流路を画定し、前記流路は、前記流路を通して穿刺部材を受け取るように構成され、前記ハブは、遠位端面を有し、前記ハブの前記遠位端面は、物質が前記穿刺部材を通して運ばれるときに、標的組織の標的面に接触するように構成されている、ハブと、
前記薬剤容器内に少なくとも部分的に配置された作動棒と
を含み、
前記穿刺部材は、前記穿刺部材が前記標的面に対して移動させられるときに前記ハブが前記穿刺部材と共に移動するように前記ハブに固定して連結され、
前記薬剤容器、前記作動棒、および前記穿刺部材は、（１）前記作動棒の遠位端が、前記穿刺部材の遠位端部分が前記標的組織の第１の領域内に配置されたときの前記作動棒に対する力に応答して、前記薬剤容器内で前記薬剤容器に対して移動し、（２）前記作動棒に対する前記力に応答した前記薬剤容器内での前記薬剤容器に対する前記作動棒の前記遠位端部分の移動が、前記穿刺部材の前記遠位端部分が前記標的組織の第２の領域内に配置されたときに制限されるように集合的に構成され、前記力は、閾値よりも小さい大きさを有する、装置。
【請求項１０】
前記ハブの前記遠位端面は、前記ハブの前記遠位端面が前記標的面に接触しているときに前記標的面との実質的流体密封を画定するように構成された封止部を含み、前記封止部は、前記流路の中心線に関して対称である、請求項９に記載の装置。
【請求項１１】
前記標的組織は、眼であり、前記標的面は、前記眼の結膜または前記眼の強膜のうちのいずれか１つであり、
前記第１の領域は、脈絡膜上腔、前記強膜の下部、前記眼の脈絡膜、前記眼の網膜下腔、または、前記眼の網膜のうちの少なくとも１つを含み、
前記第２の領域は、前記眼の前記強膜の上部である、請求項９に記載の装置。
【請求項１２】
前記閾値は、約２Ｎ〜約６Ｎである、請求項９に記載の装置。
【請求項１３】
前記ハブの前記遠位端面の少なくとも一部は、半球状の形を有する、請求項９に記載の装置。
【請求項１４】
前記物質は、前記穿刺部材の前記遠位端部分が前記標的組織の前記第１の領域内に配置され、かつ、前記作動棒が前記薬剤容器に連結されるときに、前記薬剤容器内の前記作動棒の移動に応答して、前記穿刺部材を通して運ばれる、請求項９に記載の装置。
【請求項１５】
前記作動棒に対する前記力に応答した前記薬剤容器内での前記作動棒の前記遠位端部分の移動が、前記穿刺部材の前記遠位端部分が前記標的組織の前記第２の領域内に配置され、かつ、前記物質が前記標的組織の前記第２の領域に運ばれないように前記作動棒が前記薬剤容器に連結されたときに、制限される、請求項９に記載の装置。
【請求項１６】
薬剤容器に連結されるように構成された筐体であって、前記薬剤容器が針に連結されるように構成された筐体と、
前記筐体内に配置された注射アセンブリと
を含み、
前記注射アセンブリはエネルギー貯蔵部材と作動棒とを含み、
前記作動棒の遠位端部分は、前記薬剤容器内に配置されるように構成され、
前記エネルギー貯蔵部材は、前記作動棒の近位端部分に対して力を生じさせるように構成され、
前記力は、前記針の遠位先端が標的位置の第１の領域内に配置されたときに、前記薬剤容器内で前記作動棒の前記遠位端部分を移動させて前記針を介して前記薬剤容器から物質の少なくとも一部を運ぶのに充分であり、
前記力は、前記針の前記遠位先端が前記標的位置の第２の領域内に配置されたときに、前記薬剤容器内で前記作動棒の前記遠位端部分を移動させるのに不充分である、装置。
【請求項１７】
前記標的位置の前記第１の領域が第１の密度を有し、
前記標的位置の前記第２の領域が第２の密度を有し、前記第２の密度が前記第１の密度より高い、請求項１６に記載の装置。
【請求項１８】
前記標的位置が眼であり、
前記第１の領域が前記眼の脈絡膜上腔であり、
前記第２の領域が前記眼の強膜であり、
前記力が約２Ｎと約６Ｎとの間であり、
前記作動棒および前記薬剤容器は、前記力が前記薬剤容器内に約１００ｋＰａと約５００ｋＰａとの間の注入圧力を生じさせるように集合的に構成されている、請求項１６に記載の装置。
【請求項１９】
前記エネルギー貯蔵部材が、ばね、圧縮ガス容器、または、噴霧剤を収容する容器のいずれか１つである、請求項１６に記載の装置。
【請求項２０】
前記筐体の遠位端部分に連結された調整部材をさらに含む、請求項１６に記載の装置。
【請求項２１】
前記針の周りに滑動自在に配置された調整部材をさらに含む、請求項１６に記載の装置。
【請求項２２】
前記調整部材は、前記標的位置の外面に適合することにより、前記調整部材が前記外面に接触しているときに前記標的位置の前記外面と流体密封を形成するように構成されている、請求項２１に記載の装置。
【請求項２３】
装置であって、前記装置は、
薬剤容器の少なくとも一部を受け取るように構成された筐体と、
前記筐体および穿刺部材に動作可能に連結された調整部材と、
ハブであって、前記ハブは、前記筐体に連結され、流路を画定し、前記流路は、前記流路を通して前記穿刺部材を受け取るように構成され、前記ハブは、遠位端面を有し、前記ハブの前記遠位端面は、物質が前記穿刺部材を通して運ばれるときに、標的組織の標的面に接触するように構成されている、ハブと、
作動棒であって、前記作動棒は、前記薬剤容器に連結されるように構成されている、作動棒と
を含み、
前記作動棒、前記調整部材、および前記穿刺部材は、（１）前記穿刺部材の遠位端部分が前記標的組織の第１の領域内に配置されたときの前記作動棒に対する力に応答して、（ａ）前記作動棒の遠位端部分が前記薬剤容器内で移動し、（ｂ）前記ハブの前記遠位端面から遠位方向に延在する前記穿刺部材の長さが増加し、（ｃ）前記調整部材が第１の構成から第２の構成に移行し、かつ、（２）前記作動棒に対する前記力に応答した前記ハブの前記遠位端面に対する前記穿刺部材の移動が、前記穿刺部材の前記遠位端部分が前記標的組織の第２の領域内に配置されたときに制限されるように集合的に構成され、前記調整部材は、前記穿刺部材の前記遠位端部分が前記第２の領域内に配置されているときに前記第２の構成にあり、前記力は、閾値よりも小さい大きさを有する、装置。
【請求項２４】
前記作動棒、前記調整部材、および前記穿刺部材は、前記ハブの前記遠位端面から遠位方向に延在する前記穿刺部材の長さが、前記穿刺部材の前記遠位端部分が前記標的組織の第１の領域内に配置され、かつ、前記ハブの前記遠位端面が前記標的組織の前記標的面に接触しているときの前記作動棒に対する前記力に応答して、増加するように集合的に構成されている、請求項２３に記載の装置。
【請求項２５】
前記閾値は、約６Ｎであり、または
前記力は、約０．５Ｎと約２Ｎとの間である、請求項２３に記載の装置。
【請求項２６】
前記標的組織は、眼であり、前記標的面は、前記眼の結膜または前記眼の強膜のうちのいずれか１つであり、
前記第１の領域は、脈絡膜上腔、前記強膜の下部、前記眼の脈絡膜、前記眼の網膜下腔、または、前記眼の網膜のうちの少なくとも１つを含み、
前記第２の領域は、前記眼の前記強膜の上部である、請求項２３に記載の装置。
【請求項２７】
前記力は、前記穿刺部材の前記遠位端部分が前記標的組織の前記第１の領域内に配置されたときに、前記物質を前記薬剤容器から前記標的組織内に前記穿刺部材を介して運ぶのに不充分である、請求項２３に記載の装置。
【請求項２８】
前記ハブの前記遠位端面が前記標的面に接触し、前記作動棒が前記薬剤容器に連結された状態で、
前記作動棒に対する前記力は、前記穿刺部材の前記遠位端部分が前記標的組織の前記第１の領域内から前記標的組織の前記第２の領域に移動させられるように、前記ハブの前記遠位端面から遠位方向に延在する前記穿刺部材の長さを増加させる、請求項２３に記載の装置。
【請求項２９】
前記ハブの前記遠位端面が前記標的面に接触し、前記作動棒が前記薬剤容器に連結された状態で、
前記作動棒に対する前記力は、前記ハブの前記遠位端面から遠位方向に延在する前記穿刺部材の長さが増加し、かつ、前記穿刺部材の前記遠位端部分が前記標的組織の前記第１の領域内から前記標的組織の前記第２の領域に移動させられるように、前記第１の構成から前記第２の構成に前記調整部材を移行させる、請求項２３に記載の装置。
【請求項３０】
前記力は、前記穿刺部材の前記遠位端部分が前記第１の領域から前記第２の領域に移動し、かつ、前記調整部材が前記第２の構成に移行するときに、前記ハブの前記遠位端面に対する前記穿刺部材の移動が低減され、前記物質が前記標的組織内に運ばれるように、前記第２の領域の背圧を克服するのに十分である、請求項２３に記載の装置。
【請求項３１】
前記穿刺部材の少なくとも一部は、前記調整部材によって画定された流路内に配置される、請求項２３に記載の装置。
【請求項３２】
前記調整部材の少なくとも一部は、前記調整部材が前記第１の構成から前記第２の構成に移行するときに前記ハブの前記遠位端面の方に移動する、請求項２３に記載の装置。
【請求項３３】
前記ハブは、前記筐体に対する前記調整部材の移動を制限するように構成されている、請求項２３に記載の装置。
【請求項３４】
前記調整部材は、前記ハブ内に配置される、請求項２３に記載の装置。
【請求項３５】
前記調整部材は、エラストマー材料、熱可塑性樹脂、ゴム、またはシリコーンのうちの少なくとも１つから形成される、請求項２３に記載の装置。
【請求項３６】
前記調整部材は、圧入、スナップ嵌め、ねじ付きカップリング、メカニカルファスナー、または接着剤のうちの少なくとも１つを介して前記ハブに連結される、請求項２３に記載の装置。